【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
画像データを送信する画像送信装置と、前記画像データを受信する画像受信装置とがネットワークに接続されて構成されている画像処理システムであって、
前記画像送信装置は、
前記画像受信装置に送信する候補となる画像データを取得する取得手段と、
前記取得手段によって取得された画像データのメタデータを生成するメタデータ生成手段と、
前記メタデータ生成手段によって生成されたメタデータを前記画像受信装置に送信するメタデータ送信手段と、
前記メタデータ送信手段によって送信されたメタデータの中から前記画像受信装置において選択されたメタデータの条件を満たす画像データの要求を前記画像受信装置から受信する要求受信手段と、
前記要求受信手段によって受信された要求に応じて、前記要求された画像データを前記画像受信装置に送信する画像データ送信手段とを有し、
前記画像受信装置は、
前記画像送信装置が取得した画像データのメタデータを受信するメタデータ受信手段と、
前記メタデータ受信手段によって受信されたメタデータから、フォト商材に用いる画像に係るメタデータの条件を選択する選択手段と、
前記選択手段によって選択されたメタデータの条件を満たす画像データを前記画像送信装置に要求する要求手段と、
前記要求手段によって要求された画像データを前記画像送信装置から受信する画像受信手段と、を有することを特徴とする画像処理システム。
【請求項２】
前記画像送信装置は、さらに、前記要求受信手段によって受信された要求に係る画像データを保持しているかどうかを確認する確認手段を有し、
前記確認手段による確認の結果、前記要求に係る画像データを保持していない場合に、前記画像データ送信手段は、前記画像受信装置にエラーを送信することを特徴とする請求項１に記載の画像処理システム。
【請求項３】
前記画像送信装置からエラーが送信された場合に、前記選択手段は、前記保持していない画像データのメタデータを除外してメタデータを再び選択することを特徴とする請求項２に記載の画像処理システム。
【請求項４】
前記メタデータは、撮影時刻、撮影場所、被写体の顔検出結果、顔認識結果、オブジェクト認識結果、画像の解析結果、及び撮影時の設定のうち、少なくとも１つの情報を含むことを特徴とする請求項１〜３の何れか１項に記載の画像処理システム。
【請求項５】
前記メタデータ受信手段は、所定の条件を満たすまで前記画像送信装置からメタデータを受信することを特徴とする請求項１〜４の何れか１項に記載の画像処理システム。
【請求項６】
前記メタデータ送信手段は、さらにメタデータの送信の開始及び終了の通知を前記画像受信装置に送信し、
前記メタデータ受信手段は、前記開始の通知を受信してから前記終了の通知を受信するまでの間、メタデータを受信することを特徴とする請求項１〜４の何れか１項に記載の画像処理システム。
【請求項７】
前記画像受信装置は、さらに前記条件を満たすメタデータが不足している場合に、前記画像送信装置に前記条件を満たす画像の撮影を指示する情報を送信する手段を有することを特徴とする請求項１〜４の何れか１項に記載の画像処理システム。
【請求項８】
前記要求手段では、前記メタデータに基づいて前記条件を満たす画像データの要求を、要求する画像データが類似しないように制限することを特徴とする請求項１〜４の何れか１項に記載の画像処理システム。
【請求項９】
画像データ及びメタデータを送信する画像送信装置とネットワークに接続されて画像処理システムを構成している画像受信装置であって、
前記画像送信装置から画像データのメタデータを受信するメタデータ受信手段と、
前記メタデータ受信手段によって受信されたメタデータから、フォト商材に用いる画像に係るメタデータの条件を選択する選択手段と、
前記選択手段によって選択されたメタデータの条件を満たす画像データを前記画像送信装置に要求する要求手段と、
前記要求手段によって要求された画像データを前記画像送信装置から受信する画像受信手段と、を有することを特徴とする画像受信装置。
【請求項１０】
画像データを受信してフォト商材を作成する画像受信装置とネットワークに接続されて画像処理システムを構成している画像送信装置であって、
前記画像受信装置に送信する候補となる画像データを取得する取得手段と、
前記取得手段によって取得された画像データのメタデータを生成するメタデータ生成手段と、
前記メタデータ生成手段によって生成されたメタデータを前記画像受信装置に送信するメタデータ送信手段と、
前記メタデータ送信手段によって送信されたメタデータの中から前記画像受信装置において選択されたメタデータの条件を満たす画像データの要求を前記画像受信装置から受信する要求受信手段と、
前記要求受信手段によって受信された要求に応じて、前記要求された画像データを前記画像受信装置に送信する画像データ送信手段とを有することを特徴とする画像送信装置。
【請求項１１】
画像データ及びメタデータを送信する画像送信装置とネットワークに接続されて画像処理システムを構成している画像受信装置の制御方法であって、
前記画像送信装置から画像データのメタデータを受信するメタデータ受信工程と、
前記メタデータ受信工程において受信されたメタデータから、フォト商材に用いる画像に係るメタデータの条件を選択する選択工程と、
前記選択工程において選択されたメタデータの条件を満たす画像データを前記画像送信装置に要求する要求工程と、
前記要求工程において要求された画像データを前記画像送信装置から受信する画像受信工程と、を有することを特徴とする画像受信装置の制御方法。
【請求項１２】
画像データを受信してフォト商材を作成する画像受信装置とネットワークに接続されて画像処理システムを構成している画像送信装置の制御方法であって、
前記画像受信装置に送信する候補となる画像データを取得する取得工程と、
前記取得工程において取得された画像データのメタデータを生成するメタデータ生成工程と、
前記メタデータ生成工程において生成されたメタデータを前記画像受信装置に送信するメタデータ送信工程と、
前記メタデータ送信工程において送信されたメタデータの中から前記画像受信装置において選択されたメタデータの条件を満たす画像データの要求を前記画像受信装置から受信する要求受信工程と、
前記要求受信工程において受信された要求に応じて、前記要求された画像データを前記画像受信装置に送信する画像データ送信工程とを有することを特徴とする画像送信装置の制御方法。
【請求項１３】
画像データ及びメタデータを送信する画像送信装置とネットワークに接続されて画像処理システムを構成している画像受信装置を制御するためのプログラムであって、
前記画像送信装置から画像データのメタデータを受信するメタデータ受信工程と、
前記メタデータ受信工程において受信されたメタデータから、フォト商材に用いる画像に係るメタデータの条件を選択する選択工程と、
前記選択工程において選択されたメタデータの条件を満たす画像データを前記画像送信装置に要求する要求工程と、
前記要求工程において要求された画像データを前記画像送信装置から受信する画像受信工程と、をコンピュータに実行させることを特徴とするプログラム。
【請求項１４】
画像データを受信してフォト商材を作成する画像受信装置とネットワークに接続されて画像処理システムを構成している画像送信装置を制御するためのプログラムであって、
前記画像受信装置に送信する候補となる画像データを取得する取得工程と、
前記取得工程において取得された画像データのメタデータを生成するメタデータ生成工程と、
前記メタデータ生成工程において生成されたメタデータを前記画像受信装置に送信するメタデータ送信工程と、
前記メタデータ送信工程において送信されたメタデータの中から前記画像受信装置において選択されたメタデータの条件を満たす画像データの要求を前記画像受信装置から受信する要求受信工程と、
前記要求受信工程において受信された要求に応じて、前記要求された画像データを前記画像受信装置に送信する画像データ送信工程とをコンピュータに実行させることを特徴とするプログラム。
【手続補正２】
【補正対象書類名】明細書
【補正対象項目名】０００６
【補正方法】変更
【補正の内容】
【０００６】
本発明の画像処理システムは、画像データを送信する画像送信装置と、前記画像データを受信する画像受信装置とがネットワークに接続されて構成されている画像処理システムであって、前記画像送信装置は、前記画像受信装置に送信する候補となる画像データを取得する取得手段と、前記取得手段によって取得された画像データのメタデータを生成するメタデータ生成手段と、前記メタデータ生成手段によって生成されたメタデータを前記画像受信装置に送信するメタデータ送信手段と、前記メタデータ送信手段によって送信されたメタデータの中から前記画像受信装置において選択されたメタデータの条件を満たす画像データの要求を前記画像受信装置から受信する要求受信手段と、前記要求受信手段によって受信された要求に応じて、前記要求された画像データを前記画像受信装置に送信する画像データ送信手段とを有し、前記画像受信装置は、前記画像送信装置が取得した画像データのメタデータを受信するメタデータ受信手段と、前記メタデータ受信手段によって受信されたメタデータから、フォト商材に用いる画像に係るメタデータの条件を選択する選択手段と、前記選択手段によって選択されたメタデータの条件を満たす画像データを前記画像送信装置に要求する要求手段と、前記要求手段によって要求された画像データを前記画像送信装置から受信する画像受信手段と、を有することを特徴とする。